(57)【要約】【課題】マフラーなどの代用が容易で、結び目がないため邪魔になったり結び目が解けたりすることがなく、上から上着などを羽織っても外観を損ねることのないタオルを提供する。【解決手段】長手方向の一方の端部４近くに、他方の端部が挿通可能な輪ゴム２を取り付けたことを特徴とする。【選択図】図７
2010005390.tif 000002
【特許請求の範囲】
【請求項１】
長手方向の一方の端部近くに、他方の端部が挿通可能な輪ゴムを取り付けたことを特徴とするタオル。
【発明の詳細な説明】
【技術分野】
【０００１】  本発明はタオルに係り、特にマフラーなどの代用に好適なタオルの構成に関するものである。
【背景技術】
【０００２】  タオルは日常生活において、例えば風呂場などにおいて身体や手足を洗うときに使用されたり、汗拭きなどに用いられたり、また寒いときなどには首部に巻き付けてマフラーの代用にもなるなどその用途は広い。タオルは容易に洗濯ができるため、例えば工事現場などにおいてマフラーの代用として簡単に用いられ、重宝されている。
【発明の開示】
【発明が解決しようとする課題】
【０００３】  ところでタオルをマフラーの代用とする場合、通常、タオルを首部に巻いて、結んで使用するため、大きな結び目ができる。この大きな結び目は作業するときなどに邪魔になったり、またタオルはマフラーに比べて長さが短いため、作業をしている途中で結び目が解けて、再び結び直す必要がでてくる。【０００４】  さらにタオルの結び目が大きいため、その上から上着などを羽織ると、首の部分が膨れ上がった状態となり、上着の着心地が悪く、外観上見苦しいなどの欠点を有している。【０００５】  本発明の目的は、このような従来技術の欠点を解消し、マフラーなどとしての代用が容易かつ簡便で、結び目がないため邪魔になったり結び目が解けたりすることがなく、上から上着などを羽織っても外観を損ねることのないタオルを提供することにある。
【課題を解決するための手段】
【０００６】  前記目的を達成するため本発明は、長手方向の一方の端部近くに、他方の端部が挿通可能な輪ゴムを取り付けたことを特徴とするものである。【０００７】  また本発明において、前記輪ゴムをタオルに対して着脱可能に取り付けることもできる。【０００８】  さらに本発明において、前記輪ゴムをタオルに対して着脱可能に取り付けるとともに、その取り付け位置をタオルの長手方向に沿って変位可能にすることもできる。
【発明の効果】
【０００９】  本発明は前述のように構成されており、マフラーとしての代用が容易かつ簡便で、結び目がないため邪魔になったり結び目が解けたりすることがなく、上から上着などを羽織っても外観を損ねることのないタオルを提供することができる。
【図面の簡単な説明】
【００１０】
【図１】本発明の第１実施例に係るタオルの平面図である。
【図２】そのタオルの側面図である。
【図３】そのタオルに取り付けられるバンド状輪ゴムの拡大斜視図である。
【図４】そのタオルの使用態様示す正面図である。
【図５】本発明の第２実施例に係るタオルの平面図である。
【図６】本発明の第３実施例に係るタオルの平面図である。
【図７】本発明の第４実施例に係るタオルの一部平面図である。
【図８】本発明の第５実施例に係るタオルの一部拡大断面図である。
【発明を実施するための形態】
【００１１】  本発明の実施例を図面とともに説明する。図１ならびに図２は本発明の第１実施例に係るタオルの平面図ならびに側面図、図３はそのタオルに取り付けられるバンド状輪ゴムの拡大斜視図、図４はそのタオルの使用態様示す正面図である。
【００１２】  この実施例に係るタオル１は通常のタオルの形（長方形）をしており、図１ならびに図２に示すように長手方向と直交する方向に２つ折りにしたとき、それの一方側の一面には所定の幅Ｗ（図３参照）を有する外周が布で覆われたバンド状の輪ゴム２の外周部の一部が例えば縫い合わせ３（図１参照）によって取り付けられている。図２に示すように、外周部の一部がタオル１に取り付けられても輪ゴム２の外形はリング状をなしている。
【００１３】  タオル１に対する輪ゴム２の取り付け位置は任意であるが、例えばタオル１の一方の端部４から約１５ｃｍ程度内側に入った所が望ましい。
【００１４】  図４はそのタオル１の使用態様を示しており、前記輪ゴム２が胸付近の前に来るようにしてタオル１を首（図示せず）に１周巻き付け、タオル１の他方の端部５あるいは両方の端部４，５を輪ゴム２に通して引っ張り、タオル１を首に密着することにより、タオル１をマフラーとして代用することができる。
【００１５】  輪ゴム２は簡単に伸びるから多少嵩張ったタオル１の端部４、５でも容易に挿通することができ、また、輪ゴム２の弾性収縮力とゴムの滑り止めの機能により、輪ゴム２を一且挿通したタオル１の端部４、５は容易に外れることはない。
【００１６】  図５は、本発明の第２実施例に係るタオルの平面図である。本実施例の場合、タオル１の一方の端部４から内側に寄った位置に、タオル１の長手方向に沿って複数個の（本実施例では３個の）ボタン穴６が並んで形成されている。一方、バンド状の輪ゴム２の外周部の一部には、外側に向けてボタン７が取り付けられている。
【００１７】  本実施例では、ボタン穴６からボタン７を外すことによりタオル１を手拭きや足拭きなどの通常のタオルとして使用することができ、また、ボタン７をボタン穴６に装着することにより前述のようにマフラーの代用とすることができる。この際、ボタン穴６の位置を選択することにより、タオル１の首周りの長さを適宜調整することができて便利である。
【００１８】  図６は、本発明の第３実施例に係るタオルの平面図である。本実施例の場合、タオル１の一方の端部４から内側に寄った位置に、タオル１の長手方向に沿って長い第１の面ファースナ８が取り付けられている。一方、バンド状の輪ゴム２の外周部の一部には、外側に向けて第２の面ファースナ９が取り付けられている。
【００１９】  本実施例では、第２の面ファースナ９を第１の面ファースナ８から剥がすことによりタオル１を手拭きや足拭きなどの通常のタオルとして使用することができ、また、第２の面ファースナ９を第１の面ファースナ８に添着することによりマフラーの代用とすることができる。この際、第１の面ファースナ８に対する第２の面ファースナ９の位置を選択することにより、タオル１の首周りの長さを適宜調整することができて便利である。
【００２０】  図７は、本発明の第４実施例に係るタオルの一部平面図である。本実施例の場合、輪ゴム２として断面形状が円形で外周が布で覆われた輪ゴム２が使用され、タオル１と輪ゴム２の間は、例えば長方形で外周が布で覆われたゴム片あるいは布片などからなる柔らかい連結部材１０で連結されている。この連結部材１０を２つ折りにして、その内側に輪ゴム２の一部を入れて、連結部材１０の両端をタオル１の外周部に形成された折り返し部１１に縫い合わせ３することにより、連結部材１０を介して輪ゴム２をタオル１に連結する。
【００２１】  図８は、本発明の第５実施例に係るタオルの一部拡大断面図である。本実施例の場合、ベルト状のゴム材あるいは断面形状が円形のゴム材２ａを所定の長さに切断して２つ折りにし、そのゴム材２ａの端部２ｂを直接タオル１の折り返し部１１に縫い合わせすることにより、輪ゴム２を形成するとともにそれをタオル１に連結する。
【００２２】  本実施例では所定の長さのゴム材２ａを使用したが、輪ゴム２を直接タオル１に取り付けることもできる。また、ゴム材２ａあるいは輪ゴム２をタオル１に取り付ける際、当て布を用いて固定することもできる。
【００２３】  本発明の各実施例において前記輪ゴム２に色や模様を付けることにより、タオルのファション性を高めることができる。また所定の幅を有するバンド状の輪ゴム２あるいはゴム材２ａを使用する場合、タオル１への取り付け、あるいはボタン７や面ファースナ９の取り付が容易かつ確実である。さらに輪ゴム２、ゴム材２ａあるいは連結部材１０をタオル１の折り返し部１１に取り付ければ、それらの固定が確実である。
【００２４】  輪ゴムの代わりに合成樹脂の成形体からなるリングを取り付けることも考えられるが、合成樹脂の成形体からなるリングではタオルが滑り易いため、折角タオルで巻いても首の周りが緩み、作業中などにタオルの端部がリングから抜けることがある。また、タオルを折り畳んで収納する場合などにリングが邪魔になり、タオルの折り畳みに支障をきたすことがある。
【００２５】  この点輪ゴムはタオルに対して滑り止め効果があり、タオルで首の周りを長期間確実に保護することができ、しかも輪ゴムは折り曲げが容易でタオルの収納に支障をきたすこともない。また輪ゴムは合成樹脂の成形体からなるリングに比べて軽量であるから、首に巻き付けても殆ど違和感を感じることはない。
【００２６】  工事現場においては埃などが作業者の首周りに付着して身体や衣服が汚れることがあるが、本発明のタオルはマフラーの代わりばかりでなく身体や衣服の汚れ防止にも役立つ。また、本発明のタオルで頭部を覆い、タオルの両端部を輪ゴムに挿通して、タオルを頭部に固定することにより、頭部の保護が図れる。
【符号の説明】
【００２７】１．．．タオル
２．．．輪ゴム
２ａ．．．ゴム材
２ｂ．．．ゴム材の端部
３．．．縫い合わせ
４．．．一方の端部
５．．．他方の端部
６．．．ボタン穴
７．．．ボタン
８．．．第１の面ファースナ
９．．．第２の面ファースナ
１０．．．連結部材
１１．．．折り返し部。
【図１】
2010005390.tif 000003
【図２】
2010005390.tif 000004
【図３】
2010005390.tif 000005
【図４】
2010005390.tif 000006
【図５】
2010005390.tif 000007
【図６】
2010005390.tif 000008
【図７】
2010005390.tif 000009
【図８】
2010005390.tif 000010